(57)【要約】      （修正有）【課題】力の弱い作業者に対しても握り易いグリップを有し、作業し易い草刈り機および草刈り機用把手を提供する。【解決手段】シャフト１の一端に備えた草を刈るための回転刃２と、シャフト１の他端に備えた回転刃２を駆動するためのエンジン３を備え、エンジン３に固定した第１の把手４と、シャフト１の中央部分に固定した第２の把手５とを有し、第１の把手４は、シャフト１の軸方向に直交する方向の握り部４ａを有し、第２の把手５もシャフト１の軸方向に直交する方向の握り部５ａを有している。第１の把手４は、エンジンカバーの固定ねじを利用してエンジン３の本体部に固定し、握り部４ａがエンジン３の接続部の上方に位置するようにしている。【選択図】図１
0003179319.tif 000002
【実用新案登録請求の範囲】
【請求項１】
シャフトの一端に備えた草を刈るための回転刃と、前記シャフトの他端に備えた前記回転刃を駆動するためのエンジンと、前記シャフトの前記エンジンに隣接する部分または前記エンジンに固定した第１の把手と、前記シャフトの中央部分に固定した第２の把手とを有し、前記第１の把手および前記第２の把手は前記シャフトの軸方向に直交する方向の握り部を有することを特徴とする草刈り機。
【請求項２】
前記エンジンは該エンジンの本体が収納された本体部と該本体部を前記シャフトに接続するための接続部とを有し、前記第１の把手は、前記本体部に固定されていることを特徴とする請求項１に記載の草刈り機。
【請求項３】
前記エンジンは該エンジンの本体が収納された本体部と該本体部を前記シャフトに接続するための接続部とを有し、前記第１の把手は、前記接続部に固定されていることを特徴とする請求項１に記載の草刈り機。
【請求項４】
前記第１の把手の握り部の少なくとも一部は、前記接続部または前記シャフトの上方に位置することを特徴とする請求項２または請求項３のいずれか１項に記載の草刈り機。
【請求項５】
前記第１の把手は、上方と、左右方向の少なくとも一方とに握り部を有することを特徴とする請求項１乃至請求項４のいずれか１項に記載の草刈り機。
【請求項６】
前記第１の把手の握り部または前記第２の把手の握り部の少なくとも一方に、前記エンジンのアクセルレバーを一体に取り付けたことを特徴とする請求項１乃至請求項５のいずれか１項に記載の草刈り機。
【請求項７】
前記第１の把手の握り部に、前記エンジンのアクセルレバーを一体に取り付けたことを特徴とする請求項６に記載の草刈り機。
【請求項８】
シャフトの一端に備えた草を刈るための回転刃と、前記シャフトの他端に備えた前記回転刃を駆動するためのエンジンとを備えた草刈り機に取付け可能な把手であって、前記シャフトの前記エンジンに隣接する部分または前記エンジンへの固定手段を有し、該固定手段により前記草刈り機に固定したときに、前記シャフトの軸方向に直交する方向の握り部を有することを特徴とする草刈り機用把手。
【考案の詳細な説明】
【技術分野】
【０００１】
本考案はシャフトの先端に備えた回転刃をシャフトの他端に備えたエンジンにより駆動し、操作者がそのシャフト等を支持しながら刈払いなどを行う草刈り機に関する。
【背景技術】
【０００２】
シャフトの先端に備えた回転刃をシャフトの他端に備えたエンジンにより駆動し、操作者がそのシャフト等を支持しながら刈払いなどを行う草刈り機または刈払い機の従来例が特許文献１および２に記載されている。通常、草刈り機により広い水平面の草刈りなどを行う場合、シャフトに固定された肩掛けベルトを肩にかけ、シャフトの中央部分に設けた把手やハンドルを握って作業を行っている。
【０００３】
しかし、斜面や狭い場所の草刈りを行う場合はシャフトや回転刃の向きを変えながら作業を行う必要があるため、肩掛けベルトは使用しないで、シャフトのエンジンに近い部分に設けた握り部（グリップ）とシャフトの中央部分に設けた把手を握って作業を行う。この場合に使用するエンジンに近い部分の従来のグリップは、特許文献１および２に示されているように、シャフトの周囲にグリップ用のクッション材などを巻き付けた構成となっている。
【先行技術文献】
【特許文献】
【０００４】
【特許文献１】特開２００７−９７４４９号公報
【特許文献２】特開２０１２−９０５３５号公報
【考案の概要】
【考案が解決しようとする課題】
【０００５】
従来、上記のように、エンジンに近い部分の従来のグリップとシャフトの中央部分の把手とを握って作業する場合、従来のグリップは太く、かつシャフトの軸方向に握る構成であるため、力の弱い年配者や女性にとっては握りにくく、このため腕が疲れ易く、草刈り作業をスムーズに行うことができないという問題があった。
【０００６】
そこで、本考案は、係る問題を解決するためになされたものであり、力の弱い作業者に対しても握り易いグリップを有し、作業し易い草刈り機および草刈り機用把手を提供することを目的とする。
【課題を解決するための手段】
【０００７】
第１の観点では、本考案の草刈り機は、シャフトの一端に備えた草を刈るための回転刃と、前記シャフトの他端に備えた前記回転刃を駆動するためのエンジンと、前記シャフトの前記エンジンに隣接する部分または前記エンジンに固定した第１の把手と、前記シャフトの中央部分に固定した第２の把手とを有し、前記第１の把手および前記第２の把手は前記シャフトの軸方向に直交する方向の握り部を有することを特徴とする。
【０００８】
本考案では、第１の把手はシャフトとは独立して設けられているため、その機能を確保するためにある程度以上の太さを必要とするシャフトに関係なく握り部の太さを設定できる。このため、従来よりも握り部を細くでき、また握り部の材質の選択範囲も広い。さらに、その握り部はシャフトの軸方向に直交する方向に設けられているため、従来のグリップに比べ持ち易くなり、エンジンの荷重を支えるために腕にかかる負担を減らすことができる。以上のように、本考案の草刈り機は、力の弱い作業者にとって握り易く、作業もし易い。
【０００９】
なお、第１の把手の形状は、その握り部がシャフトの軸方向に直交する方向に設定できれば任意でよいが、例えばコの字状の把手の両端をエンジンの左右側面に固定し、その上部に握り部を設けること、ロの字状の把手をエンジンとシャフトとの接続部に固定し、上部およびその両側に握り部を設けることなどが可能である。また、第２の把手の位置は、シャフトの両端部分、例えば全長の１／５の両端部分、を除いた中央部分であればよい。第１の把手の握り部と第２の把手の握り部との間の間隔が作業者の肩幅と同程度となるように、第２の把手の位置が調整可能であるように構成してもよい。
【００１０】
第２の観点では、本考案は、前記第１の観点の草刈り機において、前記エンジンは該エンジンの本体が収納された本体部と該本体部を前記シャフトに接続するための接続部とを有し、前記第１の把手は、前記本体部に固定されていることを特徴とする。通常、エンジンの本体部にはエンジンカバーが固定されているので、第１の把手をエンジンカバーの固定ねじなどを利用してエンジンの本体部に固定することにより、本考案を容易に実現できる。
【００１１】
第３の観点では、本考案は、前記第１の観点の草刈り機において、前記エンジンは該エンジンの本体が収納された本体部と該本体部を前記シャフトに接続するための接続部とを有し、前記第１の把手は、前記接続部に固定されていることを特徴とする。エンジンのシャフトへの接続部はシャフトの端部を内部に収納する筒状の部分であるので、第１の把手にその筒状部分に固定可能なリング状の固定部を設けることにより、本考案を容易に実現できる。
【００１２】
第４の観点では、本考案は前記第２または第３の観点の草刈り機において、前記第1の把手の握り部の少なくとも一部は、前記接続部または前記シャフトの上方に位置することを特徴とする。本観点の考案のようにエンジンの本体部より前側に握り部があると、エンジンの本体部の上方に握り部がある場合に比べて、それを握ったときにエンジンの位置がより高い位置となるため、力の弱い作業者や背丈の低い作業者にとって、地面に対するシャフトの角度、すなわち回転刃の角度の調整がしやすく、疲れにくくなる。また、作業中に熱くなるエンジンカバーに誤って触れる可能性が低くなり、エンジンから上昇してくる熱気も握り部には当たらないので、より安全に作業を行うことができる。
【００１３】
第５の観点では、本考案は前記第１乃至第４のいずれかの観点の草刈り機において、前記第1の把手は、上方と、左右方向の少なくとも一方とに握り部を有することを特徴とする。本観点の考案では上方だけでなく左右の握り部を持って作業することが可能となり、地面の傾斜に合わせて回転刃の面を斜めに傾けることが容易となる。この場合、作業を容易にするためには、第２の把手も第１の把手の握り部と同じ左右方向の握り部を有していることが望ましい。
【００１４】
第６の観点では、本考案は前記第１乃至第５のいずれかの観点の草刈り機において、前記第１の把手の握り部または前記第２の把手の握り部の少なくとも一方に、前記エンジンのアクセルレバーを一体に取り付けたことを特徴とする。従来の草刈り機においては、安全上、エンジンのアクセルレバーを握った状態でないとエンジンが停止するように構成された草刈り機があり、このような場合には、把手の握り部とエンジンのアクセルレバーを同時に握ることができるように構成することが必要である。本観点の構成の草刈り機ではこのような操作が可能となる。この場合、アクセルレバーは第1の把手の握り部、または第２の把手の握り部のいずれかに一体として取り付けられていればよい。また、両方に取り付けられていてもよい。
【００１５】
第７の観点では、本考案は前記第６の観点の草刈り機において、前記第１の把手の握り部に、前記エンジンのアクセルレバーを一体に取り付けたことを特徴とする。エンジンに近い第1の把手の握り部の方がアクセルレバーの取り付けが容易な場合がある。
【００１６】
本考案の草刈り機用把手は、シャフトの一端に備えた草を刈るための回転刃と、前記シャフトの他端に備えた前記回転刃を駆動するためのエンジンとを備えた草刈り機に取付け可能な把手であって、前記シャフトの前記エンジンに隣接する部分または前記エンジンへの固定手段を有し、該固定手段により前記草刈り機に固定したときに、前記シャフトの軸方向に直交する方向の握り部を有することを特徴とする。本考案の草刈り機用把手を従来の草刈り機に取付けることにより、上記の本考案の草刈り機が容易に実現可能となる。
【考案の効果】
【００１７】
以上のように、本考案によれば、力の弱い作業者に対しても握り易いグリップを有し、作業し易い草刈り機および草刈り機用把手が得られる。
【図面の簡単な説明】
【００１８】
【図１】実施例１に係る草刈り機の全体を示す斜視図。
【図２】実施例１に係る草刈り機のエンジンに取付けた第１の把手の部分を拡大して示す斜視図。
【図３】草刈り機に取付ける前の第１の把手を示す図であり、図３（ａ）は正面図、図３（ｂ）は側面図。
【図４】実施例１の草刈り機を両手で保持して作業する場合の例を示す図。
【図５】実施例２に係る草刈り機を示す図であり、図５（ａ）は草刈り機のエンジンおよびを第１の把手を拡大して示す斜視図であり、図５（ｂ）は草刈り機に取付ける前の第１の把手を示す斜視図。
【図６】実施例３に係る草刈り機のエンジンおよび第１の把手を拡大して示す斜視図。
【図７】実施例４に係る草刈り機の第１の把手のみを拡大して示す図であり、図７（ａ）は正面図、図７（ｂ）は底面図。
【考案を実施するための形態】
【００１９】
以下、図面を参照して本考案の草刈り機および草刈り機用把手を実施例により詳細に説明する。なお、図面の説明において同一の要素には同一符号を付し、その重複した説明を省略する。
【実施例１】
【００２０】
図１は、実施例１に係る草刈り機の全体を示す斜視図であり、図２は、実施例１に係る草刈り機のエンジンに取付けた第１の把手の部分を拡大して示す斜視図である。図３は草刈り機に取付ける前の第１の把手を示す図であり、図３（ａ）は正面図、図３（ｂ）は側面図である。図１において、本実施例の草刈り機１０は、シャフト１の一端に備えた草を刈るための回転刃２と、シャフト１の他端に備えた回転刃２を駆動するためのエンジン３を備え、エンジン３に固定した第１の把手４と、シャフト１の中央部分に固定した第２の把手５とを有し、第１の把手４は、シャフト１の軸方向に直交する方向の握り部４ａを有し、第２の把手５もシャフト１の軸方向に直交する方向の握り部５ａを有している。なお、本実施例の草刈り機１０においては、エンジン３の近くのシャフト１の周囲にグリップ用のクッション材などを巻き付けて構成した従来のシャフトグリップ６もそのまま設けている。
【００２１】
また、図２に示すように、エンジン３はエンジン３の本体が収納された本体部３ａと該本体部をシャフトに接続するための接続部３ｂとを有し、第１の把手４は、エンジンカバーの固定ねじ７を利用して本体部３ａに固定している。
【００２２】
図３（ａ）、（ｂ）に示すように、第１の把手４は、クッション材などによる円筒状の握り部４ａと、握り部４ａを保持するコ字状棒４ｂと、コ字状棒４ｂの強度を補強するための横棒４ｃと、コ字状棒４ｂを固定ねじ７に固定するための穴を設けた取付け部４ｄとからなる。また、図３（ｂ）に示すように、コ字状棒４ｂは、第１の把手４をエンジン３の本体部３ａに固定したときに握り部４ａが接続部３ｂの上方に位置するように、前方にくの字状に曲がっている。
【００２３】
図４は、本実施例の草刈り機１０を両手で保持して作業する場合の例を示す図である。
本実施例においては、第１の把手４を有することにより従来のシャフトグリップ６よりも細い握り部４ａを握ることができる。さらに、その握り部４ａはシャフト１の軸方向に直交する方向に設けられているため、右手８で第１の把手４の握り部４ａを握り、左手９で第２の把手５の握り部５ａを握ることにより、従来のシャフトグリップ６を握る場合に比べて持ち易くなり、エンジン３の荷重を支えるために腕にかかる負担を減らすことができる。なお、本実施例において、第１の把手４の握り部４ａにエンジン３のアクセルレバーを一体として取り付け、握り部４ａとアクセルレバーを同時に握ることが可能なように構成してもよい。
【実施例２】
【００２４】
図５は実施例２に係る草刈り機を示す図であり、図５（ａ）は草刈り機のエンジンおよびを第１の把手を拡大して示す斜視図であり、図５（ｂ）は草刈り機に取付ける前の第１の把手を示す斜視図である。本実施例の草刈り機は、実施例１と同様な構成のエンジン３、シャフト１、図示されていない回転刃２および第２の把手５、従来のシャフトグリップ６などを備えており、第１の把手の構成およびその固定方法のみが実施例１とは異なっている。
【００２５】
本実施例においては、第１の把手１４は、エンジン３の接続部３ｂに固定されている。接続部３ｂはシャフト１の端部を内部に収納する筒状の部分であり、第１の把手１４にはその筒状部分に固定可能な帯状でリング状のリング固定部１４ｃを設けている。図５に示すように、第１の把手１４は、クッション材などによる円筒状の握り部１４ａと、握り部１４ａをその上部に保持するロ字状棒１４ｂとロ字状棒１４ｂを接続部３ｂに固定するリング固定部１４ｃを備えている。リング固定部１４ｃは、ロ字状棒１４ｂに繋がる帯状の平面部分１４ｃ１、帯状のリング部分１４ｃ２、終端の帯状の平面部分１４ｃ３、平面部分１４ｃ１と平面部分１４ｃ３とを固定する固定ねじ１４ｃ４とからなり、終端の平面部分１４ｃ３を開いた状態で接続部３ｂに巻きつけ、その後、平面部分１４ｃ１と１４ｃ３とを閉じて固定ねじ１４ｃ４で固定することにより接続部３ｂに固定する。
【００２６】
本実施例においても、第１の把手１４の握り部１４ａは従来のシャフトグリップ６に比べ持ち易く、エンジン３の荷重を支えるために腕にかかる負担を減らすことができる。また、握り部１４ａが接続部３ｂの上方に位置するので、エンジン３の位置がより高い位置となり、作業者にとって回転刃の角度の調整がしやすく疲れにくくなり、また、より安全に作業を行うことができる。本実施例においても、第１の把手１４の握り部１４ａにエンジン３のアクセルレバーを一体として取り付け、握り部１４ａとアクセルレバーを同時に握ることが可能なように構成してもよい。
【実施例３】
【００２７】
図６は、実施例３に係る草刈り機のエンジンおよび第１の把手を拡大して示す斜視図である。本実施例の草刈り機は、実施例１と同様な構成のエンジン３、シャフト１、図示されていない回転刃２および第２の把手５、従来のシャフトグリップ６などを備えており、第１の把手の構成のみが実施例１とは異なっている。本実施例においては、第１の把手２４は、エンジン３の本体部３ａに固定されている。
【００２８】
図６に示すように、第１の把手２４は、クッション材などを表面に用いて形成した円筒をコ字状に曲げた形状の握り部２４ａと、握り部２４ａとＵ字状の接続棒２４ｃにより一体として繋がったコ字状の取付け棒２４ｂと、エンジン３の本体部３ａの固定ねじ７に該把手を固定するため接続棒２４ｃに一体として設けた取り付け部２４ｄとから構成されている。
【００２９】
本実施例においても、第１の把手２４の握り部２４ａは従来のシャフトグリップ６に比べ持ち易く、エンジン３の荷重を支えるために腕にかかる負担を減らすことができる。また、Ｕ字状の接続棒２４ｃにより握り部２４ａが本体部３ａよりも前方に位置するようにしており、これにより作業者にとって回転刃の角度の調整がしやすく疲れにくくなり、また、より安全に作業を行うことができる。
【００３０】
さらに、本実施例においては、握り部２４ａはコ字状であるので、上方と、左右両方向に握り部を有することとなる。このように、上方だけでなく左右の握り部を持って作業することが可能となるので、地面の傾斜に合わせて回転刃の面を斜めに傾けることが容易となる。本実施例においても、第１の把手２４の握り部２４ａにエンジン３のアクセルレバーを一体として取り付け、握り部２４ａとアクセルレバーを同時に握ることが可能なように構成してもよい。この場合、本実施例の構成では、実施例１および２に比べて、アクセルレバーの取り付けをより容易に行うことができる。
【実施例４】
【００３１】
図７は、実施例４に係る草刈り機の第１の把手のみを拡大して示す図であり、図７（ａ）は正面図、図７（ｂ）は底面図である。本実施例の草刈り機は、図７では省略しているが、図１に示す実施例１と同様な構成のエンジン３、シャフト１、回転刃２、第２の把手５、従来のシャフトグリップ６などを備えており、第１の把手の構成および固定方法のみが実施例１とは異なっている。本実施例においては、第１の把手３４は、実施例２と同様に、エンジン３の接続部３ｂに固定される。
【００３２】
図７に示すように、第１の把手３４は、クッション材などを表面に用いて形成した円筒をコ字状に曲げた形状の握り部３４ａと、本把手を接続部に固定するリング固定部３４ｃと、握り部３４ａとリング固定部３４ｃとを一体として接続するＶ字状棒３４ｂとから構成されている。リング固定部３４ｃは、リングを形成する帯状部材の始端と終端に平面部分３４ｄを有し、その始端と終端の平面部分３４ｄを開いた状態で接続部３ｂに巻きつけ、その後、両方の平面部分３４ｄを閉じて重ね、その部分に形成した穴に図５（ｂ）と同様な固定ねじを用いて固定することにより接続部３ｂに固定する。なお、握り部３４ａの端部とＶ字状棒３４ｂとの間、およびＶ字状棒３４ｂとリング固定部３４ｃとの間は溶接などにより固定されている。
【００３３】
本実施例においても、第１の把手３４の握り部３４ａは持ち易く、作業において腕にかかる負担を従来よりも減らすことができる。また、握り部３４ａが本体部３ａよりも前方に位置するようにしており、これにより作業者にとって回転刃の角度の調整がしやすく疲れにくくなり、また、より安全に作業を行うことができる。
【００３４】
さらに、握り部３４ａはコ字状で、上方と、左右両方向に握り部を有するので、左右の握り部を持って作業することも可能となり、地面の形状に合わせて作業することが容易となる。本実施例においても、第１の把手３４の握り部３４ａにエンジン３のアクセルレバーを一体として取り付け、握り部３４ａとアクセルレバーを同時に握ることが可能なように構成してもよい。この場合、本実施例の構成では、実施例１および２に比べて、アクセルレバーの取り付けをより容易に行うことができる。
【００３５】
以上のように、本考案により、力の弱い作業者に対しても握り易いグリップを有し、作業し易い草刈り機および草刈り機用把手が得られる。
【００３６】
なお、本考案は上記の実施例に限定されるものではないことは言うまでもなく、目的や用途に応じて設計変更可能である。例えば、第１の把手の形状および固定方法、第２の把手の形状、固定位置、およびエンジン、シャフト、回転刃などの構成、形状、配置などは、用途に応じて選択可能である。また、従来のシャフトグリップはなくてもよい。第１の把手の取付け位置は、エンジンと従来のシャフトグリップの間のシャフト部分、例えば、図２、図６の番号１で示した箇所であってもよい。また、肩掛けベルトを取り付け可能なように構成してもよい。
【符号の説明】
【００３７】
１          シャフト
２          回転刃
３          エンジン
３ａ        本体部
３ｂ        接続部
４、１４、２４、３４          第１の把手
４ａ、５ａ、１４ａ、２４ａ、３４ａ  握り部
４ｂ        コ字状棒
４ｃ        横棒
４ｄ、２４ｄ                  取付け部
５          第２の把手
６          シャフトグリップ
７、１４ｃ４                  固定ねじ
８          右手
９          左手
１０        草刈り機
１４ｂ      ロ字状棒
１４ｃ、３４ｃ                リング固定部
１４ｃ１、１４ｃ３、３４ｄ    平面部分
１４ｃ２    リング部分
２４ｂ      取付け棒
２４ｃ      接続棒
３４ｂ      Ｖ字状棒
【図１】
0003179319.tif 000003
【図２】
0003179319.tif 000004
【図３】
0003179319.tif 000005
【図４】
0003179319.tif 000006
【図５】
0003179319.tif 000007
【図６】
0003179319.tif 000008
【図７】
0003179319.tif 000009